(57)【要約】      （修正有）【課題】清涼飲食体の温暖化を簡単な構造により防止して当該清涼飲食体の清涼さを長時間に亘り維持して楽しむことを可能にした清涼飲食体保冷容器を提供する。【解決手段】清涼飲食体を収容する容器１００の底部の上面部又は下面部或いは内部に、保冷剤パック１１０を設けた。容器１００は、ビールジョッキ、ビールピッチ、ジュースグラス、ワイングラス等の清涼飲料収容容器、又は冷やしソーメン、冷やし中華麺、冷やし蕎麦・うどん等の冷麺の収容容器である。保冷剤パック１１０は、下面に錘を配置し、容器１００の底部の上面部に載置し、又は、容器１００の底部の下面部又は内部に装着した。【選択図】図１
0003227208.tif 000002
【実用新案登録請求の範囲】
【請求項１】
清涼飲食体を収容する容器であって、前記容器の底部の上面部又は下面部或いは内部に、保冷剤パックを交換可能に設けたことを特徴とする清涼飲食体保冷容器。
【請求項２】
前記容器は、清涼飲料収容容器、又は冷麺収容容器であることを特徴とする請求項１に記載の清涼飲食体保冷容器。
【請求項３】
前記保冷剤パックは、浮き上がり防止用の錘を有し、前記容器の底部の上面部に交換可能に載置したことを特徴とする請求項１又は請求項２に記載の清涼飲食体保冷容器。
【請求項４】
前記保冷剤パックは、前記容器の底部の下面部又は内部に交換可能に装着したことを特徴とする請求項１〜請求項３のいずれか一つに記載の清涼飲食体保冷容器。
【考案の詳細な説明】
【技術分野】
【０００１】  本考案は清涼飲食体保冷容器に関するものである。
【背景技術】
【０００２】  従来から清涼飲食体の保冷容器は、水筒等の長時間保冷保容器が主体でありで真空室や断熱材構成の保冷室を設けたものであり複雑構造で高価なものである。【０００３】  一般にビール、ジュース、ワイン、カクテル等の清涼飲料を入れるグラスやジョッキ、ピッチ等の容器は、使用直前まで冷蔵庫で予め冷却して後に提供される。
更に、冷やしソーメン、冷やし中華麺、冷やし蕎麦・うどん等の清涼食料は、冷水処理後に一旦ざるで水切りしてから提供される。
このように清涼飲料収容容器及び清涼食料収容容器に一旦当該飲食料を収容後は、手や対流空気などによる閥熱により短時間で温暖化し清涼さが失われる。
【考案の概要】
【考案が解決しようとする課題】
【０００４】  そこで本考案は、清涼飲食体の温暖化を簡単な構造により防止して当該清涼飲食体の清涼さを長時間に亘り維持して楽しむことを可能にした清涼飲食体保冷容器を提供する。
【課題を解決するための手段】
【０００５】  本考案は、前記課題を解決する技術的手段として次の（１）〜（４）を特徴とするものである。
（１）、清涼飲食体を収容する容器であって、前記容器の底部の上面部又は下面部或いは内部に、保冷剤パックを交換可能に設けたことを特徴とする清涼飲食体保冷容器。
（２）、前記容器は、ビールジョッキ、ビールピッチ、ジュースグラス、ワイングラス、コーヒ容器等の清涼飲料収容容器、又は冷やしソーメン、冷やし中華麺、冷やし蕎麦・うどん等の冷麺収容容器であることを特徴とする前記（１）に記載の清涼飲食体保冷容器。
（３）、前記保冷剤パックは、下面に浮き上がり防止用の錘を配置し、前記容器の底部の上面部に交換可能に載置したことを特徴とする（１）又は（２）に記載の清涼飲食体保冷容器。
（４）、前記保冷剤パックは、前記容器の底部の下面部又は内部に交換可能に装着したことを特徴とする前記（１）〜（３）のいずれか一つに記載の清涼飲食体保冷容器。
本考案において、保冷剤パックとは、少量の高吸収性ポリマーに水分含ませてジェル状にしたものであり、ビニール製の袋に入れて、軽くて持ち運びしやすいソフトタイプと、薄いプラスチックの容器に入れた耐久性があり冷気が長持ちするハードタイプの２種類の何れでも良い。
【考案の効果】
【０００６】  本考案の清涼飲食体保冷容器は、前記構成により底部に冷却済みの保冷剤パックを交換可能に設けたので、収容した清涼飲食体を保冷維持して清涼さを長時間保ち愛飲・愛麺していただくことを可能にした優れた作用効果を呈する優れものである。
また清涼飲食体保冷容器を透明性の高いグラス製、プラスチック製にすれば清涼飲食体と容器一体としての高い清涼感を引き出させる優れた作用効果がある。
【図面の簡単な説明】
【０００７】
【図１】本考案の実施例１の清涼飲食体保冷容器としてのビールやジュースなどのピッチの一部縦断面の側面斜視説明図であり、保冷剤パックの取り付け方を併記した説明図である。
【図２】本考案の実施例２の清涼飲食体保冷容器としてのビールジョッキの底部内に保冷剤パックを内設し、保冷剤パックは底面下方に取り外し可能にした側面斜視説明図である。
【図３】本考案の実施例３の清涼飲食体保冷容器としての冷コーヒ容器の底部の上面に錘付保冷剤パックを載置させた状態の側面斜視説明図である。
【図４】本考案の実施例４の清涼飲食体保冷容器としての冷麺収容容器（ソーメンボール）の底部の上面に錘付保冷剤パックを載置させた状態の側面斜視説明図である。
【考案を実施するための態様】
【０００８】  本考案の清涼飲食体保冷容器の実施態様は、図１〜図４に示す各実施例により詳細に説明する。
【実施例１】
【０００９】  本考案の実施例１の清涼飲食体保冷容器は、ビール、ジュース等のプラスチック製ピッチ１００である。
その一部を透明の側面斜視説明図で示し、保冷剤パック１１０の取り付け方を併記してある。
保冷剤パック１１０は、少量の高吸収性ポリマーに水分含ませてジェル状にした保冷剤をプラスチックの容器に入れたードタイプであり、ピッチ１００の底部に形成したケース１１１内にパック挿入口１１２から上方挿入しセット可能にしてある。ケース１１１は上部をピッチ底部１０１の下面に螺子１１３で螺合して保冷剤パック１１０ごと交換可能にしてある。
これで冷剤パック１１０は、ケース１１１とピッチ底部１０１を介してピッチ１００内の飲料を冷却しその清涼さを長時間維持して複数杯のドリンク交換を可能にするのである。
【実施例２】
【００１０】  本考案の実施例２の清涼飲食体保冷容器は、ガラス製のビールジョッキ２００である。その一部を透明の側面斜視説明図で示し、ジョッキ底部２０１内の空隙室２０２内に保冷剤パック２１０を内設し、保冷剤パック２１０は空隙室２０２の蓋２０３から下方外部に取り外し可能にしてある。
これで冷剤パック２１０は、ジョッキ底部２０１を介してビールジョッキ２００内のビールを冷却しその清涼さを長時間維持してジョッキ交換なしで複数杯のドリンクを可能にするのである。
【実施例３】
【００１１】  本考案の実施例３の清涼飲食体保冷容器は、透明なガラス製の冷コーヒ容器３００である。その一部を透明の側面斜視説明図で示し、下面に浮き上がり防止の錘り鉄板３１１を接着した保冷剤パック３１０を上方から挿入して冷コーヒ容器３００の容器底部３０１の上面に載せる。
これで保冷剤パック３１０の上面から容器内にコーヒーを入れて直接冷やし、この状態を長時間維持しても清涼コーヒを維持するものである。【００１２】  本考案の実施例４の清涼飲食体保冷容器は、透明なガラス製のソーメンボール冷麺収容容器（ソーメンボール）４００である。その一部を透明の側面斜視説明図で示し、下面に浮き上がり防止の錘り４１１を接着した保冷剤パック４１０を上方から挿入して冷麺収容容器４００の容器底部４０１の上面に載せる。
これで保冷剤パック４１０の上面に冷麺を載せて、冷麺を直接冷やし、この状態を長時間維持して数杯の冷麺を清涼に冷却し食するものである。
【産業上の利用可能性】
【００１３】  本考案の清涼飲食体保冷容器は、前記の優れた作用効果を呈するものであり、一般家庭への寄与は勿論のこと、飲食業界に貢献すること多大なものがある。
【符号の説明】
【００１４】１００：ガラス製ピッチ
１１０：保冷剤パック
１１１：ケース
１１２：パック挿入口
１１３：螺子部
１０１：ピッチ底部
２００：ビールジョッキ
２０１：ジョッキ底部
２０２：空隙室
２１０：保冷剤パック
２０３：蓋
３００：冷コーヒ容器
３０１：容器底部
３１０：保冷剤パック
３１１：錘り鉄板
４００：冷麺収容容器（ソーメンボール）
４０１：保冷剤パック
４１１：錘り鉄板
【図１】
0003227208.tif 000003
【図２】
0003227208.tif 000004
【図３】
0003227208.tif 000005
【図４】
0003227208.tif 000006
【手続補正書】
【提出日】令和2年4月12日(2020.4.12)
【手続補正１】
【補正対象書類名】実用新案登録請求の範囲
【補正対象項目名】全文
【補正方法】変更
【補正の内容】
【実用新案登録請求の範囲】
【請求項１】
清涼飲食体を収容する容器であって、前記容器の底部の上面部又は下面部或いは内部に、保冷剤パックを設けたことを特徴とする清涼飲食体保冷容器。
【請求項２】
前記容器は、清涼飲料収容容器、又は冷麺収容容器であることを特徴とする請求項１に記載の清涼飲食体保冷容器。
【請求項３】
前記保冷剤パックは、浮き上がり防止用の錘を有し、前記容器の底部の上面部に載置したことを特徴とする請求項１又は請求項２に記載の清涼飲食体保冷容器。
【請求項４】
前記保冷剤パックは、前記容器の底部の下面部又は内部に装着したことを特徴とする請求項１〜請求項３のいずれか一つに記載の清涼飲食体保冷容器。
【手続補正２】
【補正対象書類名】明細書
【補正対象項目名】０００５
【補正方法】変更
【補正の内容】
【０００５】  本考案は、前記課題を解決する技術的手段として次の（１）〜（４）を特徴とするものである。
（１）、清涼飲食体を収容する容器であって、前記容器の底部の上面部又は下面部或いは内部に、保冷剤パックを設けたことを特徴とする清涼飲食体保冷容器。
（２）、前記容器は、ビールジョッキ、ビールピッチ、ジュースグラス、ワイングラス、コーヒ容器等の清涼飲料収容容器、又は冷やしソーメン、冷やし中華麺、冷やし蕎麦・うどん等の冷麺収容容器であることを特徴とする前記（１）に記載の清涼飲食体保冷容器。
（３）、前記保冷剤パックは、下面に浮き上がり防止用の錘を配置し、前記容器の底部の上面部に載置したことを特徴とする（１）又は（２）に記載の清涼飲食体保冷容器。
（４）、前記保冷剤パックは、前記容器の底部の下面部又は内部に装着したことを特徴とする前記（１）〜（３）のいずれか一つに記載の清涼飲食体保冷容器。
本考案において、保冷剤パックとは、少量の高吸収性ポリマーに水分含ませてジェル状にしたものであり、ビニール製の袋に入れて、軽くて持ち運びしやすいソフトタイプと、薄いプラスチックの容器に入れた耐久性があり冷気が長持ちするハードタイプの２種類の何れでも良い。